(57)【特許請求の範囲】
【請求項１】
機体の前面側から紙幣を重積状態で装填するとともに、装填された集積紙幣を機体の前面側から背面側へ向けて１枚ずつ分離して繰り出す繰り出し機構を有する紙幣装填部と、
この紙幣装填部から１枚ずつ繰り出される紙幣を機体内背面にそって下方へ搬送し途中部に紙幣の識別を行う識別部を有する識別通路域およびこの識別通路域に続いて設けられ前記識別部での識別結果に基づいて紙幣を機体前面側へ分岐搬送する後続通路域を備えた搬送通路と、
前記紙幣装填部の下方位置で機体前面側に上下に複数設けられ前記後続通路域から機体前面側へ分岐搬送された紙幣を集積するとともにその集積紙幣を機体前面から取り出し可能とされた複数の集積部とを具有し、
前記複数の集積部は機体内の上方から下方へ配設される第１、第２、第３の集積部とされており、
前記後続通路域の識別通路域直後に設けられ前記第１の集積部へ収納すべき紙幣を分岐する第１の分岐部と、
この第１の分岐部より後流の後続通路域に設けられ搬送されてくる紙幣を搬送途中で表裏取り揃えを行う表裏取り揃え搬送部と、
この表裏取り揃え搬送部に続く後続通路域に設けられ前記表裏取り揃え搬送部で表裏取り揃えが行われて１枚ずつ搬送されてくる紙幣を前記第２または第３の集積部へ向け選択的に分岐する第２の分岐部と、
前記紙幣装填部、搬送通路、第１〜第３の集積部、第１の分岐部、表裏取り揃え搬送部、および第２の分岐部を制御する制御部と、
この制御部に接続されるとともに第２、第３の集積部へ集積すべき金種と表裏取り揃えの有無を選択する選択部と、
前記制御部に設けられ前記選択部による選択に基づいて表裏取り揃え搬送部が表裏取り揃えを行うか否かを制御する表裏取り揃え制御部と、
前記制御部に接続される表示部とを具備してなり、
前記選択部による選択に基づいて第２または第３の集積部へ集積される紙幣の表裏取り揃え状態の有無を前記表示部に表示するようにしたことを特徴とする卓上型紙幣計数分類機。
【請求項２】
機体の前面側から紙幣を重積状態で装填するとともに、装填された集積紙幣を機体の前面側から背面側へ向けて１枚ずつ分離して繰り出す繰り出し機構を有する紙幣装填部と、
この紙幣装填部から１枚ずつ繰り出される紙幣を機体内背面にそって下方へ搬送し途中部に紙幣の識別を行う識別部を有する識別通路域およびこの識別通路域に続いて設けられ前記識別部での識別結果に基づいて紙幣を機体前面側へ分岐搬送する後続通路域を備えた搬送通路と、
前記紙幣装填部の下方位置で機体前面側に上下に複数設けられ前記後続通路域から機体前面側へ分岐搬送された紙幣を集積するとともにその集積紙幣を機体前面から取り出し可能とされた複数の集積部とを具有し、
前記複数の集積部は機体内の上方から下方へ配設される第１、第２、第３の集積部とされ、上位の第１の集積部をリジェクト紙幣用またはリジェクト紙幣を含む紙幣用、下位の２つの第２、第３の集積部を選択された金種の紙幣用とされており、
前記後続通路域の識別通路域直後に設けられ前記第１の集積部へ収納すべき紙幣を分岐する第１の分岐部と、
この第１の分岐部より後流の後続通路域に設けられ搬送されてくる紙幣を搬送途中で表裏取り揃えを行う表裏取り揃え搬送部と、
この表裏取り揃え搬送部に続く後続通路域に設けられ前記表裏取り揃え搬送部で表裏取り揃えが行われて１枚ずつ搬送されてくる紙幣を前記第２または第３の集積部へ向け選択的に分岐する第２の分岐部と、
前記紙幣装填部、搬送通路、第１〜第３の集積部、第１の分岐部、表裏取り揃え搬送部、および第２の分岐部を制御する制御部と、
この制御部に接続されるとともに第２、第３の集積部へ集積すべき紙幣の金種と表裏取り揃えの有無を選択する選択部と、
前記制御部に設けられ前記選択部による選択に基づいて表裏取り揃え搬送部が表裏取り揃えを行うか否かを制御する表裏取り揃え制御部と、
前記制御部に接続され第２、第３の集積部に対応して設けられる各表示部とを具備してなり、
前記選択部による選択に基づいて第２または第３の集積部へ所定金種の紙幣が表裏取り揃え状態で集積される場合に該第２または第３の集積部に対応する表示部に金種と表裏取り揃え状態の有無と集積紙幣枚数とを表示するようにしたことを特徴とする卓上型紙幣計数分類機。
【請求項３】
前記選択部は、前記第２、第３の集積部に同一金種紙幣を表裏取り揃え状態で所定枚数ずつ集積する態様を選択可能とされており、その選択に基づいて制御部は第２、第３の集積部に同一金種紙幣を表裏取り揃え状態で所定枚数ずつ集積せしめるとともに、第２、第３の集積部に対応する各表示部に金種と表裏取り揃え状態の有無と集積枚数とをそれぞれ表示せしめるようにされている請求項２記載の卓上型紙幣計数分類機。
【請求項４】
表裏取り揃え搬送部は、搬送されてくる紙幣が表裏のうち一方の向きである場合は反転ドラムが正転し他方の向きである場合は前記反転ドラムが逆転を開始した後当該紙幣が所定位置に至ったところで正転することにより表裏取り揃えを行うようになっていることを特徴とする請求項１乃至３のいずれか一項に記載の卓上型紙幣計数分類機。
【発明の詳細な説明】
【０００１】
【発明の属する技術分野】
本発明は紙幣計数分類機に係り、特に卓上において使用する卓上型紙幣計数分類機に関する。
【０００２】
【従来の技術】
従来の卓上型紙幣計数分類機は、機体の前面側から紙幣を重積状態で装填するとともに、装填された集積紙幣を機体の前面側から背面側へ向けて１枚ずつ分離して繰り出す繰り出し機構を有する紙幣装填部と、この紙幣装填部の下方位置で機体前面側に上下２段に設けられる第１、第２の集積部と、前記紙幣装填部から１枚ずつ繰り出される紙幣を機体内の背面にそって下方へ搬送し途中部に紙幣の識別を行う識別部を有する識別通路域およびこの識別通路域に続いて設けられ前記識別部での識別結果に基づいて紙幣を機体前面側へ分岐搬送する後続搬送路域を備え、後続搬送路域で分岐された紙幣は第１または第２の集積部へ送られて集積されるようになっている。
【０００３】
そして第１、第２の集積部の一方は、予め設定される特定金種紙幣用とされ、他方は他の金種紙幣と識別不能なリジェクト紙幣とを集積するよう、二種に分離している。
【０００４】
そのため前記特定金種紙幣を他の金種紙幣と分岐分類して集積する動作が済むと他の金種紙幣について前述と同じように再度別の金種について特定金種紙幣の設定を行い、その金種紙幣を残りの紙幣と分岐分類するようになされる。
【０００５】
【発明が解決しようとする課題】
しかして上述のような卓上型紙幣計数分類機において、紙幣をその表（または裏）に揃えて集積する表裏取り揃えが望まれているが、上記従来の機械では、金種別の分類が終了した一金種紙幣を再度紙幣装填部へ装填し直し、表向きの紙幣は第１の集積部へ、裏向きの紙幣は第２の集積部へ分離し、その分離が済んだあと手作業で第１の集積部の表向き紙幣に第２の集積部の裏向き紙幣の全体を反転させて合体させることで表裏取り揃えを行うことになる。
【０００６】
そのため上記従来の卓上型紙幣計数分類機で表裏取り揃えを行おうと思えば、機械操作者は金種別の分離を行ったのち表裏取り揃え操作を行わなければならず、結局２段階の操作が必要となっていた。
【０００７】
本発明は、紙幣の金種別分類と表裏取り揃えとを同時に行えるようにした卓上型紙幣計数分類機を提供することを課題としてなされたものである。
【０００８】
【課題を解決するための手段】
上記課題を解決する手段として請求項１に記載の発明は、機体の前面側から紙幣を重積状態で装填するとともに、装填された集積紙幣を機体の前面側から背面側へ向けて１枚ずつ分離して繰り出す繰り出し機構を有する紙幣装填部と、この紙幣装填部から１枚ずつ繰り出される紙幣を機体内背面にそって下方へ搬送し途中部に紙幣の識別を行う識別部を有する識別通路域およびこの識別通路域に続いて設けられ前記識別部での識別結果に基づいて紙幣を機体前面側へ分岐搬送する後続通路域を備えた搬送通路と、前記紙幣装填部の下方位置で機体前面側に上下に複数設けられ前記後続通路域から機体前面側へ分岐搬送された紙幣を集積するとともにその集積紙幣を機体前面から取り出し可能とされた複数の集積部とを具有し、前記複数の集積部は機体内の上方から下方へ配設される第１、第２、第３の集積部とされており、前記後続通路域の識別通路域直後に設けられ前記第１の集積部へ収納すべき紙幣を分岐する第１の分岐部と、この第１の分岐部より後流の後続通路域に設けられ搬送されてくる紙幣を搬送途中で表裏取り揃えを行う表裏取り揃え搬送部と、この表裏取り揃え搬送部に続く後続通路域に設けられ前記表裏取り揃え搬送部で表裏取り揃えが行われて１枚ずつ搬送されてくる紙幣を前記第２または第３の集積部へ向け選択的に分岐する第２の分岐部と、前記紙幣装填部、搬送通路、第１〜第３の集積部、第１の分岐部、表裏取り揃え搬送部、および第２の分岐部を制御する制御部と、この制御部に接続されるとともに第２、第３の集積部へ集積すべき金種と表裏取り揃えの有無を選択する選択部と、前記制御部に設けられ前記選択部による選択に基づいて表裏取り揃え搬送部が表裏取り揃えを行うか否かを制御する表裏取り揃え制御部と、前記制御部に接続される表示部とを具備してなり、前記選択部による選択に基づいて第２または第３の集積部へ集積される紙幣の表裏取り揃え状態の有無を前記表示部に表示するようにしたことを特徴とする。
【０００９】
こうしたことにより、紙幣の表裏を取り揃えて計数・分類処理を行うことができ、機械操作者による該処理後の人手による表裏取り揃え作業を不要とすることができる。
【００１０】
請求項２に記載の発明は、機体の前面側から紙幣を重積状態で装填するとともに、装填された集積紙幣を機体の前面側から背面側へ向けて１枚ずつ分離して繰り出す繰り出し機構を有する紙幣装填部と、この紙幣装填部から１枚ずつ繰り出される紙幣を機体内背面にそって下方へ搬送し途中部に紙幣の識別を行う識別部を有する識別通路域およびこの識別通路域に続いて設けられ前記識別部での識別結果に基づいて紙幣を機体前面側へ分岐搬送する後続通路域を備えた搬送通路と、前記紙幣装填部の下方位置で機体前面側に上下に複数設けられ前記後続通路域から機体前面側へ分岐搬送された紙幣を集積するとともにその集積紙幣を機体前面から取り出し可能とされた複数の集積部とを具有し、前記複数の集積部は機体内の上方から下方へ配設される第１、第２、第３の集積部とされ、上位の第１の集積部をリジェクト紙幣用またはリジェクト紙幣を含む紙幣用、下位の２つの第２、第３の集積部を選択された金種の紙幣用とされており、前記後続通路域の識別通路域直後に設けられ前記第１の集積部へ収納すべき紙幣を分岐する第１の分岐部と、この第１の分岐部より後流の後続通路域に設けられ搬送されてくる紙幣を搬送途中で表裏取り揃えを行う表裏取り揃え搬送部と、この表裏取り揃え搬送部に続く後続通路域に設けられ前記表裏取り揃え搬送部で表裏取り揃えが行われて１枚ずつ搬送されてくる紙幣を前記第２または第３の集積部へ向け選択的に分岐する第２の分岐部と、前記紙幣装填部、搬送通路、第１〜第３の集積部、第１の分岐部、表裏取り揃え搬送部、および第２の分岐部を制御する制御部と、この制御部に接続されるとともに第２、第３の集積部へ集積すべき紙幣の金種と表裏取り揃えの有無を選択する選択部と、前記制御部に設けられ前記選択部による選択に基づいて表裏取り揃え搬送部が表裏取り揃えを行うか否かを制御する表裏取り揃え制御部と、前記制御部に接続され第２、第３の集積部に対応して設けられる各表示部とを具備してなり、前記選択部による選択に基づいて第２または第３の集積部へ所定金種の紙幣が表裏取り揃え状態で集積される場合に該第２または第３の集積部に対応する表示部に金種と表裏取り揃え状態の有無と集積紙幣枚数とを表示するようにしたことを特徴とする。
【００１１】
上記の構成により、前記請求項１記載の発明と同じ効果を奏することに加え、下記の効果を奏する。
【００１２】
特に請求項２記載の発明では、第１の集積部をリジェクト紙幣またはリジェクト紙幣を含む紙幣用とし、第２、第３の集積部を選択された金種の正規紙幣用としている。その結果、リジェクト紙幣は搬送通路の識別通路域直後の後続通路域において第１の分岐部で分岐されるので、他の正規紙幣と一緒にリジェクト紙幣が後続搬送路域の下流側へ送られることがなく、他の正規紙幣に比べて短距離の搬送後に第１の集積部へ送られ、これによりリジェクト紙幣のジャムの発生を防ぐことができる。
【００１３】
また請求項２記載の発明では、第２、第３の集積部に集積すべき紙幣の金種と表裏取り揃えの有無とを選択する選択部と、制御部に接続され前記選択部による選択に基づいて表裏取り揃え搬送部が表裏取り揃えを行うか否かを制御する表裏取り揃え制御部と、前記制御部に接続されるとともに第２、第３の集積部に対応して設けれる各表示部とを備えている。そして第２または第３の集積部に所定金種の紙幣が表裏取り揃え状態で集積される場合にその第２または第３の集積部に対応する表示部に金種と表裏取り揃え有と集積枚数とを表示するようにしている。
【００１４】
その結果、使用時の要望に応じて表裏取り揃え有りと表裏取り揃え無しとを随時選択して使用することができ、用途の拡大が図れ、また表裏取り揃えされる場合には、表裏が取り揃えられる第２または第３の集積部においてどの金種の紙幣が表裏取り揃え有りの状態で何枚集積されたかがこれと対応する表示部から操作者は直ちに知ることができる。
【００１５】
請求項３記載の発明は、前記請求項２に記載の発明に加え、前記選択部は、前記第２、第３の集積部に同一金種紙幣を表裏取り揃え状態で所定枚数ずつ集積する態様を選択可能とされており、その選択に基づいて制御部は第２、第３の集積部に同一金種紙幣を表裏取り揃え状態で所定枚数ずつ集積せしめるとともに、第２、第３の集積部に対応する各表示部に金種と表裏取り揃え状態の有無と集積枚数とをそれぞれ表示せしめるようにしたものである。
【００１６】
その結果、前記請求項２記載の発明による効果に加え、使用時の要求に応じて用途を一層拡大する効果を奏する。
請求項４記載の発明は、前記請求項１乃至３のいずれか一項に記載の発明に加え、表裏取り揃え搬送部は、搬送されてくる紙幣が表裏のうち一方の向きである場合は反転ドラムが正転し他方の向きである場合は前記反転ドラムが逆転を開始した後当該紙幣が所定位置に至ったところで正転することにより表裏取り揃えを行うようになっていることを特徴とする。
【００１７】
なお請求項２における「リジェクト紙幣を含む紙幣」とは、第２の集積部がＡ金種紙幣、第３の集積部がＢ金種紙幣の場合、第１の集積部は「リジェクト紙幣とＡ，Ｂ金種以外の正規紙幣」となることを意味する。また第２の集積部（Ａ金種紙幣）、第３の集積部（Ａ金種以外の正規紙幣）の場合は、第１の集積部は「リジェクト紙幣」となる。
【００１８】
上記請求項２において「選択された金種」とは、１金種を指称する以外に、複数金種が混合されている場合もある。例えば第２の集積部はＡ金種紙幣、第３の集積部はＡ金種以外のすべての正規紙幣を指すことである。
【００１９】
【発明の実施の形態】
以下、本発明を図面に示す実施の形態を参照して説明する。
【００２０】
図１は本発明による卓上型紙幣計数分類機の一実施形態の内部構造を示す略示左側断面図、図２は同前面図で、卓上設置型の機体１の上部に前面１ａ側から計数・分類処理すべき紙幣Ｐを重積状態で載置装填することができる紙幣装填部２が設けられ、この紙幣装填部２の紙幣載置台３の下部には該載置台３上に積載された集積紙幣Ｐの最下位の紙幣を機体１の前面１ａ側から背面１ｂ側へ向けて繰り出すキッカローラ４およびフィードローラ５を有する繰り出し機構６が設けられている。
【００２１】
前記キッカローラ４およびフィードローラ５は周面の一部がゴム等の高摩擦材で構成され、他の周面はスリップしやすい金属面とされており、いずれもステッピングモータ（図４のＭ１）により同期駆動され、後述する搬送通路の途中に配設される紙幣到来検知センサ・紙幣通過検知センサ（図４のＳ１〜Ｓｎ）による検知信号に基づいて駆動一停止が制御される。
【００２２】
上記フィードローラ５の上部には、フィードローラ５との間で紙幣装填部２から繰り出される紙幣Ｐを１枚に分離して送り出すためのゲート部を構成するゲート部材７（逆転ローラ）が設けられ、上記ゲート部の直後にはゲート部を通過した紙幣Ｐを送り出す搬送ローラ８が設けられている。
【００２３】
これら各ローラ４，５，７，８はこれらの軸線方向（紙幣Ｐの搬送幅方向で紙幣の長手方向）にそれぞれ一対設けられている。なかでもローラ５はローラ７，８より幅広とされ、両ローラ７，８に対向している。
【００２４】
前記紙幣装填部２に続いて該紙幣装填部２から繰り出された紙幣Ｐを搬送する搬送通路１０が配設されている。
【００２５】
この搬送通路１０は、機体１の背面１ｂの上部域の内面にそって下方へ向かい、途中に紙幣Ｐの識別および計数を行う識別部９を有する識別通路域１０１と、この識別通路域１０１に続いて設けられ前記識別部９での識別結果に基づいて紙幣Ｐを機体１の前面１ｂ側へ分岐搬送する後続通路域１０２とを備えている。前記識別通路域１０１はローラ５，７の位置からローラ１０１ａ，１０１ｂまで、後続通路域１０２の始端はローラ１０１ａ，１０１ｂである。
【００２６】
一方、前記紙幣装填部２の下方位置で、機体１の前面１ｂ側の内部には、前記後続通路域１０２から機体１の前面１ｂ側へ分岐搬送された紙幣Ｐを集積する３個の集積部、すなわち上から第１の集積部１１，第２の集積部１２，第３の集積部１３が配設されており、最上位の第１の集積部１１はリジェクト紙幣またはリジェクト紙幣を含む紙幣用、それより下位の第２，第３の集積部１２，１３は正規の金種別紙幣用として使用することができるようになっている。
【００２７】
前記後続通路域１０２には、紙幣Ｐの表裏を取り揃える表裏取り揃え搬送部１４が設けられている。
【００２８】
この表裏取り揃え搬送部１４は、図示していない正逆モータ（図４のＭ３）に連結された軸１５により固定支持されて正逆回転駆動可能とされた大径の反転ドラム１６と、この反転ドラム１６の上部位置にあって軸１７により揺動可能に支持され前記識別通路域１０１から送り込まれる紙幣Ｐの進路を右または左へ切り換える上部切換爪１８と、前記反転ドラム１６の下部位置にあって軸１９により揺動可能に支持され紙幣Ｐの進路を切り換える下部切換爪２０と、前記反転ドラム１６の周面に対設され紙幣Ｐを押えて案内する複数の押えローラ２１，２１…等とで構成されている。なお図４の正逆モータＭ３、センサ群（Ｓ１〜Ｓｎ）の一部も含まれる。
【００２９】
前記反転ドラム１６と各切換爪１８，２０との位置関係は、図３に背面図（図１の左側から見た図）を示すように、反転ドラム１６は紙幣Ｐの横幅よりも若干長い軸長を有し、その紙幣Ｐと接する軸方向範囲の内側で左右対称位置の周方向に溝１６ａ，１６ａが形成されており、これら溝１６ａ，１６ａに左右一対として設けられる上部切換爪１８，１８および下部切換爪２０，２０の各基部が嵌入して揺動するようになっている。これら切換爪１８，２０は図示しない各ソレノイド（図４のＳＤ３，ＳＤ４）により切り換え動作される。
【００３０】
前記上部切換爪１８は図１正面視（機体１の左側面視）において略二等辺三角形状を有し、その基部１８ａは前記反転ドラム１６の周面の円弧と略一致する凹弧状に形成されている。また前記下部切換爪２０も図１正面視（機体１の左側面視）において略二等辺三角形状を有し、その基部２０ａも反転ドラム１６の周面の円弧と略一致する凹弧状に形成されている。
【００３１】
前記後続通路域１０２の前記識別通路域１０１の直後には、前記第１の集積部１１へ至る搬送路１０３へ進路を切り換える第１の分岐部２２が設けられ、この分岐部２２には分岐爪２３が軸２４により揺動自在に支持されている。
【００３２】
また前記表裏取り揃え搬送部１４に続く後続通路域１０２には、該表裏取り揃え搬送部１４で表裏が取り揃えられた紙幣Ｐを、第２の集積部１２へ至る搬送路１０４または第３の集積部１３へ至る搬送路１０５へ分岐する第２の分岐部２５が設けられ、この分岐部２５には、分岐爪２６が軸２７により揺動可能に設けられている。
【００３３】
前記第１の集積部１１はリジェクト紙幣用として使用することを主目的としているので、その構造は単純なトレー状のボックスで構成され、この集積部１１に至る搬送路１０３の終端の下部のプーリー軸には紙幣Ｐを第１の集積部１１内へスムーズに送り込むため羽根付きローラ２８が設けられている。
【００３４】
前記第２，第３の集積部１２，１３は同じ構造とされており、紙幣Ｐが立位姿勢で集積されるようになっている。すなわちこの集積部１２，１３に至る搬送路１０４，１０５の終端位置には羽根車２９，３０が設けられ、この羽根車２９，３０の羽根間に紙幣Ｐを１枚ずつ受け入れて集積部１２，１３の櫛歯状の底部１２ａ，１３ａで紙幣Ｐをしごき残してＬ形状の立壁１２ｂ，１３ｂ（羽根車２９，３０へ向けてバネ付勢されている）と羽根車２９，３０との間の該底部１２ａ，１３ａ上に順次立位姿勢で集積させるようになっている。
【００３５】
そしてまた図２に示すように第１〜第３の集積部１１，１２，１３の位置に対応する機体１の前面１ａには開放状態の方形の開口部１１Ａ，１２Ａ，１３Ａが形成されており、各集積部１１，１２，１３内に集積された紙幣Ｐを機体１外に取り出せるようになっている。なお第１〜第３の集積部１１，１２，１３に対応して表示部３１，３２，３３が設けられており、また表示部３２，３３の上部にはそれぞれ後述する選択部４１ａ，４１ａが設けられている。
【００３６】
図１において前記搬送通路１０の各部の通路部は、紙幣Ｐを挟持して搬送し得るベルト構造，ベルトとローラによる構造，ローラ構造等、適宜な形態とされ、搬送幅方向に一対として設けることができる。また前述のローラ１０１ａ，１０１ｂ，１０２ａ，１０２ｂ、分岐爪２３，２６、羽根付きローラ２８、羽根車２９，３０も搬送幅方向に一対として設けられる。
【００３７】
図４において、制御部４０には、操作部４１（詳細は後述する）と識別部９と搬送通路１０および搬送路１０３〜１０５の適宜位置に設けられるセンサ群Ｓ１〜Ｓｎとが接続される。
【００３８】
またこの制御部４０には、モータＭ１（繰り出し機構６の駆動用ステッピングモータ）、モータＭ２（表裏取り揃え搬送部１４を除く搬送通路１０、搬送路１０３〜１０５、第１〜第３の集積部１１，１２，１３の各駆動用モータ）、モータＭ３（表裏取り揃え搬送部１４の駆動用正逆モータ）、第１の分岐部２２の分岐爪２３、第２の分岐部２５の分岐爪２６、上部切換爪１８、下部切換爪２０の各切り換え駆動用ソレノイドＳＤ１，ＳＤ２，ＳＤ３，ＳＤ４、第１〜第３の表示部３１，３２，３３が接続されている。
【００３９】
前記操作部４１は、機体１の外面に設けられていて操作者が操作するもので、電源のＯＮ，ＯＦＦボタン操作、機械のスタート・ストップボタンまたはこのボタンに代え紙幣装填部２に集積紙幣Ｐが装填されることにより紙幣Ｐの自動計数分類を開始する自動スタート設定操作、バッチモード（第１または第２の集積部１２，１３に１００枚の紙幣Ｐが計数・集積されると停止するモード）、非バッチ計数モード（各集積部１１，１２，１３が満杯になるまで紙幣を集積するモード）の設定操作等が行われるものである。
【００４０】
この操作部４１内には選択部４１ａが設けられている。この選択部４１ａは、表裏取り揃え搬送部１４に表裏の取り揃えを行わせる「第１区分の種々の分類態様」と、表裏取り揃え搬送部１４に表裏の取り揃えを行わせず、紙幣Ｐの向きが表裏取り揃え搬送部１４へ送り込まれる前と同じ状態で表裏取り揃え搬送部１４から送り出す「第２区分の種々の態様」とを選択するようになっている。
【００４１】
また前記制御部４０内には、前記選択部４１ａによる選択に基づいて表裏取り揃え搬送部１４が表裏の取り揃えを行うか否かを制御する表裏取り揃え制御部４２が設けられている。
【００４２】
前記選択部４１ａの設置位置は、第２、第３の集積部１２，１３に対応してその集積部１２，１３の各下部に設置されている。そして各選択部４１ａ，４１ａには、前述のバッチ・非バッチ設定ボタン、金種指定ボタン、表裏取り揃え有指定ボタンがある。この各選択部４１ａ，４１ａで第２、第３の集積部１２，１３の選択指定がなされると、第１の集積部１１へ集積される紙幣Ｐの種類等が自動的に決まることになる。
【００４３】
以下に選択部４１ａによる選択例をいくつか示す。
【００４４】
［第１区分例−１］
第２の集積部（１２）    正規のＡ金種紙幣（表裏取り揃え有り。非バッチ機能）
第３の集積部（１３）    Ａ金種紙幣以外の正規紙幣（表裏取り揃え無し。非バッチ機能）
第１の集積部（１１）    リジェクト紙幣
［第１区分例−２］
第２の集積部（１２）    正規のＡ金種紙幣（表裏取り揃え有り。非バッチ機能）
第３の集積部（１３）    正規のＢ金種紙幣（表裏取り揃え有り。非バッチ機能）
第１の集積部（１１）    リジェクト紙幣および第２、第３の集積部に集積される以外の正規紙幣
［第１区分例−３］
第２の集積部（１２）    正規のＡ金種紙幣（表裏取り揃え有り。非バッチ機能）
第３の集積部（１３）    正規のＢ金種紙幣（表裏取り揃え無し。非バッチ機能）
第１の集積部（１１）    リジェクト紙幣および第２、第３の集積部に集積される以外の正規紙幣
［第１区分例−４］
第２の集積部（１２）    正規のＡ金種紙幣（表裏取り揃え有り。バッチ機能…１００枚まで）
第３の集積部（１３）    正規のＡ金種紙幣（表裏取り揃え有り。バッチ機能…１０１枚から２００枚まで。但し第３の集積部１３に１００枚集積されるまでに第１の集積部１１が満杯になると途中で機械がストップ）
第１の集積部（１１）    リジェクト紙幣および第２、第３の集積部に集積される以外の正規紙幣
なお上記において、［第１区分例−４］以外の例のすべてにいえるが、各集積部１１，１２，１３の満杯量を１２０枚とした場合、いずれか一つの集積部が１２０枚に達すると機械がストップされる。
【００４５】
［第２区分例−１］
第２の集積部（１２）    正規のＡ金種紙幣のみ（表裏取り揃え無し。非バッチ機能）
第３の集積部（１３）    Ａ金種紙幣以外の正規紙幣（表裏取り揃え無し。非バッチ機能）
第１の集積部（１１）    リジェクト紙幣
［第２区分例−２］
第２の集積部（１２）    正規のＡ金種紙幣（表裏取り揃え無し。バッチ機能…１００枚まで）
第３の集積部（１３）    正規のＡ金種紙幣（表裏取り揃え無し。バッチ機能…１０１枚から）
第１の集積部（１１）    リジェクト紙幣および第２、第３の集積部に集積される以外の正規紙幣
［第２区分例−３］
第２の集積部（１２）    正規のＡ金種紙幣（表裏取り揃え無し。バッチ機能…１００枚まで）
第３の集積部（１３）    正規のＡ金種紙幣（表裏取り揃え無し。バッチ機能…１０１枚から２００枚まで。但し第３の集積部１３に１００枚集積されるまでに第１の集積部１１が満杯になると途中で機械がストップされる）
第１の集積部（１１）    リジェクト紙幣および第１、第２の集積部に集積される以外の正規紙幣
以上いくつかの区分例を示したが、これ以外の使用も可能であることは勿論である。
【００４６】
また第２、第３の表示部３２，３３については、［第１区分例−１］〜［第１区分例−３］で述べた内容そのままと集積枚数が表示され、第１の表示部３１については上述の内容のみが表示され、集積枚数は表示されない。
【００４７】
なお念のため、例えば［第２区分例−３］の第１〜第３の表示部３１，３２，３３の表示例（第２の集積部１２が１００枚に至るまでの途中の状態）を示す。
【００４８】
第１の表示部（３１）    リジェクト紙幣とＡ金種以外の正規紙幣
第２の表示部（３２）    Ａ金種紙幣、表裏取り揃え無し、バッチ機能、８５枚
第３の表示部（３３）    Ａ金種紙幣、表裏取り揃え無し、バッチ機能、０枚また［第１区分例−１］の第１〜第３の表示部３１，３２，３３の表示例を示す。
【００４９】
第１の表示部（３１）    リジェクト紙幣
第２の表示部（３２）    Ａ金種紙幣、表裏取り揃え有り、非バッチ計数、７３枚
第３の表示部（３３）    Ａ金種以外の正規紙幣、表裏取り揃え無し、非バッチ計数、１６枚
なお選択部４１ａに関しては、［第１区分例−１］〜［第２区分例−３］までを選択ボタンＲ１〜Ｒ７（図示せず）とし、このボタン群で第２、第３の集積部１２，１３の態様を決めるようにしてもよい。
【００５０】
またモータＭ１はローラ４，５の定位置検知センサ、および搬送通路１０、搬送路１０３〜１０５中のセンサ（図４のＳ１〜Ｓｎ）で駆動・停止が制御される。さらにモータＭ２、Ｍ３、ソレノイドＳＤ１〜ＳＤ４に関しても図４のセンサＳ１〜Ｓｎにより制御される。
【００５１】
上記については操作部４１で全体の駆動・停止が制御される点はいうまでもない。
【００５２】
次に作用を説明する。
【００５３】
まず、選択部４１ａにより［第１区分例−１］を選択した場合について説明する。
【００５４】
図１において、金種混在のまま重積状態とされた紙幣Ｐを紙幣装填部２の紙幣載置台３上へ装填して機械を始動させると、繰り出し機構６（キッカローラ４、フィードローラ５、ゲート部材７）、搬送ローラ８、搬送通路１０（反転ドラム１６は図１において反時計方向の正回転）、各搬送路１０３，１０４，１０５、各集積部１１，１２，１３の羽根付きローラ２８、羽根車２９，３０が所定の方向（紙幣送り方向）へ回動する。
【００５５】
紙幣装填部２から繰り出される紙幣Ｐは、識別部９を通る間に金種をはじめ表裏の別、損券等のリジェクト紙幣の別が判別される。
【００５６】
その紙幣Ｐがリジェクト紙幣と判定されたときは、第１の分岐部２２の分岐爪２３が図１の鎖線図示位置へ切り換って搬送路１０３へ導かれ、その終端から羽根付きローラ２８によって第１の集積部１１へ送入され、重積状に集積される。
【００５７】
前記識別部９により正規紙幣（Ａ金種紙幣および他の金種紙幣で表向きの紙幣）と判定されたときは、表裏取り揃え搬送部１４の上部切換爪１８は図１の実線図示位置（定位置）におかれており、下部切換爪２０は後続通路域１０２の終端方向へ誘導する位置（図１において時計方向回転姿勢）におかれるとともに反転ドラム１６は正転方向（図１において反時計方向）の回転を続行する。
【００５８】
したがって正規紙幣で表向き紙幣と判定された紙幣Ｐは、上部切換爪１８の図１において左面にそって進み、反転ドラム１６の周面と押えローラ２１，２１とによりガイドされて送られ、下部切換爪２０の図１において左側を通って後続通路域１０２の終端に至る。
【００５９】
このとき前記識別部９において判定された金種がＡ金種紙幣のときは、第２の分岐部２５の分岐爪２６が搬送路１０４方向へ紙幣を誘導する位置に切り換わり、その紙幣は該搬送路１０４を経てその終端から羽根車２９の羽根間に受け渡され、羽根車２９の図１において時計方向への略半回転時に紙幣の先端が第２の集積部１２の底部１２ａに当ってしごき残され、第２の集積部１２に立位姿勢で集積される。
【００６０】
前記識別部９における判定結果がＡ金種紙幣以外の正規紙幣であったときは、第２の分岐部２５の分岐爪２６が搬送路１０５方向へ紙幣を誘導する位置に切り換わり、その紙幣は搬送路１０５を通ってその終端から前記第２の集積部１２の場合と同様にして第３の集積部１３に立位姿勢で集積される。
【００６１】
前記識別部９において表裏を反転すべきＡ金種の裏紙幣であると判定されたとき（その前位の紙幣はそのとき下部切換爪２０の下流へ移動している）は、表裏取り揃え搬送部１４の上部切換爪１８が図１の鎖線図示位置へ切り換えられるとともに反転ドラム１６が逆転（図１において時計方向回転）し、上記裏紙幣は上部切換爪１８の図１において右面にそって進む。
【００６２】
次いでその紙幣は反転ドラム１６と下部切換爪２０の基部２０ａとの間を通って反転ドラム１６の図１において左側へ至り、その紙幣の先端が下部切換爪２０の基部２０ａの右脇を通過したところで下部切換爪２０が表向き紙幣搬送時の姿勢（図１に示す姿勢より時計方向へ回転した姿勢）から反時計方向へ揺動した姿勢（図１に示す姿勢よりさらに反時計方向へ揺動した姿勢）となる。
【００６３】
一方、反転ドラム１６が逆転方向回転を続け、反転ドラム１６によって送られる紙幣の後端が下部切換爪２０の基部２０ａの左端を通過したところで下部切換爪２０が軸１９を支点に時計方向に揺動して表向き紙幣搬送姿勢（図１に示す姿勢より時計方向に揺動した姿勢）になる。
【００６４】
反転ドラム１６が正転方向へ回転し、紙幣は下部切換爪２０の左側を通って後続通路域１０２をさらに進む。上部切換爪１８は裏向き紙幣の先端が図１の鎖線図示位置の上部切換爪１８から反転ドラム１６へ移動した時点で図１の実線図示位置へ復帰している。
【００６５】
こうして後続通路域１０２の下部切換爪２０より下流へ移動した紙幣は表裏が反転された状態となっており、その後続通路域１０２の終端に至った紙幣は、識別部９における金種の判定結果に基づいて第２の分岐部２５の分岐爪２６が第２または第３の集積部１２，１３へのいずれかの搬送路１０４または１０５側へ切り換り、その紙幣の金種に該当する第２または第３の集積部１２，１３へ送り込まれて集積される。
【００６６】
上記のように表裏取り揃え搬送部１４において前記反転ドラム１６が逆転されている間、紙幣装填部２の繰り出し機構６のキッカローラ４およびフィードローラ５はスタート位置まで戻ったところで一時停止しており、前記反転ドラム１６が正回転に復帰されかつ紙幣が下部切換爪２０を通過した時点で紙幣装填部２からの繰り出しが再開される。
【００６７】
また選択部４１ａにより正規紙幣Ｐの表裏を取り揃えずに分類集積する例えば「第２区分の各例」を選択した場合は、前述の第１区分の各例と異り表裏取り揃え搬送部１４の「表裏取り揃え無し」の動作（上部切換爪１８は図１の実線図示位置、反転ドラム１６は正回転を持続）により後続通路域１０２の終端へ送られ、その終端の第２の分岐部２５で第２、第３の集積部１２，１３へ振り分けられてそれぞれ集積される。
【００６８】
図５は後続通路域１０２の途中域に設けられる表裏取り揃え搬送部１４の他の形態を示すもので、後続通路域１０２の直下の通路域から分岐爪３４により図において左方へ分岐する分岐通路３５に断面Ｖ字状をなす反転部３６が設けられ、表向き紙幣が分岐爪３４から直下方向へ搬送されるのに対し裏向き紙幣は前記分岐爪３４の切り換りにより図において左方へ分岐され、分岐通路３５上の羽根車３７により前記反転部３６へ送り込まれ、再び羽根車３７によりその紙幣の後端が先端となって送られることになって紙幣の表裏が反転される。そして後続通路域１０２の後方の合流点Ｘで表向き紙幣と合流される。
【００６９】
表向き紙幣が分岐爪３４の位置を直下方へ移動して合流点Ｘに至る紙幣搬送距離と、裏向き紙幣が分岐爪３４で分岐されたあと表裏が反転されて合流点Ｘに至る紙幣搬送距離とは等しく設定されており、分岐爪３４へ至るまでの紙幣の搬送ピッチと搬送順位とは合流点Ｘへ到達したあとも同じである。
【００７０】
なお、ここで請求項２において「上位の第１の集積部をリジェクト紙幣用またはリジェクト紙幣を含む紙幣用」と記載した意味は、先記の内容および実施例からも明らかな通り、リジェクト紙幣のみの場合（「第２の集積部がＡ金種、第３の集積部がＡ金種以外の正規紙幣」の選択結果による）と、リジェクト紙幣とＡ，Ｂ金種紙幣以外の正規紙幣（「第２の集積部がＡ金種紙幣、第３の集積部がＢ金種紙幣」の選択結果による）等があるからである。
【００７１】
また請求項２に記載の「下位の２つの第２、第３の集積部を、選択された金種の紙幣用とされており」における「選択された金種」の意味は、１金種のみを指すものに限らず、複数金種混合の場合も含むことである。例えば「第２の集積部（Ａ金種紙幣）、第３の集積部（Ａ金種以外の正規紙幣）」のときの第３の集積部の選択例である。
【００７２】
さらに請求項２に記載の「第２、第３の集積部に対応して設けられる表示部」については、必ずしも第２、第３の集積部の近傍に設けることを意味するものではなく、操作部４１の位置に上方から下方へ順に第１の表示部３１、第２の表示部３２、第３の表示部３３を設けるようにし、第１、第２、第３の各集積部１１，１２，１３に対応させるようにしてもよい。
【００７３】
紙幣に関し、本発明でいう表向き紙幣および裏向き紙幣は、実際の紙幣の表面、裏面の向きとは関係がなく、紙幣の一方の面を表向き、他方の面を裏向きと設定すればよい。
【００７４】
【発明の効果】
以上説明したように本発明、特に請求項１記載の発明によれば、卓上に置いて紙幣を計数・分類する卓上型紙幣計数分類機において、紙幣の表裏を取り揃えて計数分類処理を行うことができ、操作者は上記処理後の人手による表裏の取り揃え作業を不要とすることができる。
【００７５】
請求項２記載の発明によれば、請求項１記載の発明による効果に加え、リジェクト紙幣は搬送通路の識別通路域直後の後続通路域において第１の分岐部で分岐されるので、他の正規紙幣と一緒にリジェクト紙幣が後続通路域の下流側へ送られることがなく、他の正規紙幣に比べて短距離の搬送後に第１の集積部へ送られ、リジェクト紙幣のジャムの発生を防ぐことができる。
【００７６】
また使用時の要望に応じて表裏取り揃え有りと表裏取り揃え無しとを随時選択して使用することができ、用途の拡大を図ることができる。
【００７７】
そして表裏取り揃えされる場合には、表裏が取り揃えられる第２または第３の集積部について何の金種の紙幣が表裏取り揃え有りの状態で何枚集積されたかがその集積部と対応する表示部を見ることによって操作者は直ちに知ることができ、作業能率の向上に大きく寄与することができる。
【００７８】
請求項３記載の発明によれば、請求項２記載の発明に加え、選択部が第２および第３の集積部に同一の単一金種紙幣を表裏取り揃え状態で所定枚数ずつ集積する態様を選択可能としたことにより、使用時の要求に応じて用途をより一層拡大することができる効果を奏する。
【図面の簡単な説明】
【図１】本発明による卓上型紙幣計数分類機の一実施形態を示す略示断面図。
【図２】同、前面図。
【図３】図１における表裏取り揃え搬送部の前面図。
【図４】同、制御ブロック図。
【図５】表裏取り揃え搬送部の他の例を示す説明図。
【符号の説明】
１  機体
２  紙幣装填部
６  繰り出し機構
７  ゲート部材
１０  搬送通路
１０１  識別通路域
１０２  後続通路域
１０３〜１０５  搬送路
１１  第１の集積部
１２  第２の集積部
１３  第３の集積部
１４  表裏取り揃え搬送部
１６  反転ドラム
１８  上部切換爪
２０  下部切換爪
２１  押えローラ
２２  第１の分岐部
２５  第２の分岐部
３２  第２の表示部
３３  第３の表示部
４０  制御部
４１  操作部
４１ａ  選択部
４２  表裏取り揃え制御部
【図１】
0004112232.tif 000002
【図２】
0004112232.tif 000003
【図３】
0004112232.tif 000004
【図４】
0004112232.tif 000005
【図５】
0004112232.tif 000006